(57)【要約】      （修正有）【課題】交差する複数の方向にボールが通過可能で自立できる練習用ゲートを提供する。【解決手段】載置面の上方で当該載置面に沿って延設され、それぞれが連結されて平面視にて多角形をなす３本以上の横棒１２と、前記多角形の角部のそれぞれに上端部が連結され、下端部が前記載置面に載置し、それぞれの間がゲートボール用のボールが通過可能な間隔とされた３本以上の縦棒１４と、を備える。【選択図】図１
2012254115.tif 000002
【特許請求の範囲】
【請求項１】
載置面の上方で当該載置面に沿って延設され、それぞれの長さ方向端部同士が連結されて平面視にて多角形をなす３本以上の横棒と、
前記多角形の角部のそれぞれに上端部が連結され、下端部が前記載置面に載置し、それぞれの間がゲートボール用のボールが通過可能な間隔とされた３本以上の縦棒と、
を備えるゲートボールの練習用ゲート。
【請求項２】
前記角部のそれぞれに設けられ、２本の前記横棒のそれぞれの長さ方向端部が取り外し可能に連結されると共に、前記縦棒の上端部が取り外し可能に連結される３つ以上の連結部材
を備える請求項１に記載のゲートボールの練習用ゲート。
【請求項３】
前記３本以上の横棒及び前記３本以上の縦棒は、外径が同径とされる共に同長に構成され、互いを入れ替えて前記連結部材に対して連結可能とされている請求項２に記載のゲートボールの練習用ゲート。
【発明の詳細な説明】
【技術分野】
【０００１】
本発明は、ゲートボールの練習用ゲートに関する。
【背景技術】
【０００２】
特許文献１には、ほぼ所定の径を有する一本の丸棒の中央部をコ字形に折り曲げて、更にその両端を、上記コ字形部分を含む平面に対して直交する平面内へ直角に折り曲げることにより床に密着する台座部を形成し、前記コ字形の立ち上がり部分における幅及び高さをゲートの所定寸法となしたゲートボールの屋内練習用ゲートが開示されている。
【先行技術文献】
【特許文献】
【０００３】
【特許文献１】実開昭６４−９７４号公報
【発明の概要】
【発明が解決しようとする課題】
【０００４】
特許文献１の練習用ゲートでは、ボールを通過させる通過部分が１箇所のみであり、その通過部分に対して一方及びその反対方向へのみボールを通過させることができるようになっている。
【０００５】
本発明は、上記事実を考慮し、交差する複数の方向にボールが通過可能で自立できる練習用ゲートを提供することを課題とする。
【課題を解決するための手段】
【０００６】
請求項１の発明は、載置面の上方で当該載置面に沿って延設され、それぞれの長さ方向端部同士が連結されて平面視にて多角形をなす３本以上の横棒と、前記多角形の角部のそれぞれに上端部が連結され、下端部が前記載置面に載置し、それぞれの間がゲートボール用のボールが通過可能な間隔とされた３本以上の縦棒と、を備えるゲートボールの練習用ゲートである。
【０００７】
請求項１の構成によれば、それぞれの間に間隔がある３本以上の縦棒の下端部が載置面に載置するので、競技用のゲートと異なり、縦棒の下端部を載置面に差し込むことなく、載置面上に自立させることができる。
【０００８】
また、請求項１の構成によれば、３本以上の縦棒の間のそれぞれに、ゲートボール用のボールが通過可能な通過部分が構成され、その通過部分が異なる方向を向くことになるので、交差する複数の方向にボールが通過可能となる。
【０００９】
請求項２の発明は、前記角部のそれぞれに設けられ、２本の前記横棒のそれぞれの長さ方向端部が取り外し可能に連結されると共に、前記縦棒の上端部が取り外し可能に連結される３つ以上の連結部材を備える請求項１に記載のゲートボールの練習用ゲートである。
【００１０】
請求項２の構成によれば、横棒の長さ方向端部及び縦棒の上端部を連結部材から取り外せる。従って、練習用ゲートをばらばらにしてコンパクトにまとめられるので、持ち運びに便利となる。
【００１１】
請求項３の発明は、前記３本以上の横棒及び前記３本以上の縦棒は、外径が同径とされる共に同長に構成され、互いを入れ替えて前記連結部材に対して連結可能とされている請求項２に記載のゲートボールの練習用ゲートである。
【００１２】
請求項３の構成によれば、取り外した各横棒及び各縦棒を連結部材に連結する際に、３本以上の横棒及び３本以上の縦棒を互いに入れ替えて、連結部材に対して任意に連結することができるので、練習用ゲートの組立作業が容易となる。
【発明の効果】
【００１３】
本発明は、上記構成としたので、交差する複数の方向にボールが通過可能で自立できる練習用ゲートを提供することができる。
【図面の簡単な説明】
【００１４】
【図１】ゲートボールの練習用ゲートの構成を示す斜視図である。
【図２】連結部材の横棒用差込部及び縦棒用差込部の構成を示す側断面図である。
【図３】ゲートボールの練習用ゲートを分解した状態を示す斜視図である。
【図４】ゲートボールの練習用ゲートの使用状態を示す斜視図である。
【発明を実施するための形態】
【００１５】
以下に、本発明に係る実施形態の一例を図面に基づき説明する。
（本実施形態に係るゲートボールの練習用ゲート１０の構成）
まず、本実施形態に係るゲートボールの練習用ゲート１０の構成を説明する。
【００１６】
本実施形態に係るゲートボールの練習用ゲート１０（以下、単に、練習用ゲート１０という）は、図１（Ａ）に示すように、載置面Ｇの上方で当該載置面Ｇ（Ｚ方向・−Ｚ方向・Ｘ方向・−Ｘ方向）に沿って延設される４本の横棒１２と、上下方向（Ｙ方向・−Ｙ方向）に沿って延設される４本の縦棒１４と、横棒１２及び縦棒１４を取り外し可能に連結する４つの連結部材１６と、を備えている。
【００１７】
具体的には、４本の横棒１２が、横棒１２Ａ、１２Ｂ、１２Ｃ、１２Ｄで構成され、４本の縦棒１４が、縦棒１４Ａ、１４Ｂ、１４Ｃ、１４Ｄで構成され、４つの連結部材１６が、連結部材１６Ａ、１６Ｂ、１６Ｃ、１６Ｄで構成されている。
【００１８】
練習用ゲート１０では、横棒１２Ａの長さ方向（軸方向）一端部（−Ｘ方向端部）と横棒１２Ｄの長さ方向一端部（−Ｚ方向端部）とが連結部材１６Ａに連結され、横棒１２Ａの長さ方向他端部（Ｘ方向端部）と横棒１２Ｂの長さ方向一端部（−Ｚ方向端部）とが連結部材１６Ｂに連結され、横棒１２Ｂの長さ方向他端部（Ｚ方向端部）と横棒１２Ｃの長さ方向一端部（Ｘ方向端部）とが連結部材１６Ｃに連結され、横棒１２Ｃの長さ方向他端部（−Ｘ方向端部）と横棒１２Ｄの長さ方向他端部（Ｚ方向端部）とが連結部材１６Ｄに連結されている。
【００１９】
また、練習用ゲート１０では、縦棒１４Ａの上端部が連結部材１６Ａに連結され、縦棒１４Ｂの上端部が連結部材１６Ｂに連結され、縦棒１４Ｃの上端部が連結部材１６Ｃに連結され、縦棒１４Ｄの上端部が連結部材１６Ｄに連結されている。
【００２０】
各横棒１２及び各縦棒１４は、図１（Ｂ）に示すように、長さ方向両端部が閉鎖された円筒状（管状）に形成されている。なお、各横棒１２及び各縦棒１４は、長さ方向両端部が開放された円筒状であってもよく、また、中実とされた円柱状であってもよい。さらに、各横棒１２及び各縦棒１４は、長さ方向両端部が閉鎖又は開放された角筒状や、中実とされた角柱状であってもよく、一方へ長さを有する棒状に形成されていればよい。また、各横棒１２及び各縦棒１４は、長さ方向両端部における周方向に沿った角（縁）１３、１５（図３参照）が丸められていることが望ましい。４本の横棒１２及び４本の縦棒１４は、外径が同径（同じ径）とされると共に同長（同じ長さ）とされ、同一構成とされている。これにより、４本の横棒１２及び４本の縦棒１４は、互いに入れ替えて用いることができるようになっている。
【００２１】
各連結部材１６は、図１（Ｂ）に示すように、各横棒１２の長さ方向一端部が差し込まれる２つの横棒用差込部１８と、各縦棒１４の上端部が差し込まれる縦棒用差込部１９と、を備えている。各横棒用差込部１８及び各縦棒用差込部１９は、各横棒１２の長さ方向一端部及び各縦棒１４の上端部が差込可能な内径を有する円筒状に形成されている。具体的には、各横棒用差込部１８の内径及び各縦棒用差込部１９の内径は、各横棒１２の長さ方向一端部及び各縦棒１４の上端部の外径と同じか、当該外径よりも若干大きい径とされている。
【００２２】
また、４つの連結部材１６における計８つの横棒用差込部１８の内径及び計４つの縦棒用差込部１９の内径は、互いに同径とされている。このため、各横棒１２及び各縦棒１４を、計８つの縦棒用差込部１９及び計４つの横棒用差込部１８のいずれに対しても差し込むことができるようになっている。
【００２３】
また、各連結部材１６における２つの横棒用差込部１８は、互いが直角方向を向いて開口しており、縦棒用差込部１９は、２つの横棒用差込部１８のそれぞれに対して直角方向を向いて開口している。例えば、連結部材１６Ａでは、一方の横棒用差込部１８がＸ方向に開口し、他方の横棒用差込部１８がＺ方向に開口し、縦棒用差込部１９が−Ｙ方向へ開口している。
【００２４】
さらに、各連結部材１６では、図２（Ｃ）に示すように、縦棒用差込部１９の周方向に沿った内周壁２１の径方向外側の位置に、横棒用差込部１８の内部の奥にある円形状の平面２３（横棒１２の横棒用差込部１８に対する差込状態で当該横棒１２の端面２５が対向する横棒用差込部１８の対向面２３）がそれぞれ配置されている。これにより、縦棒１４の縦棒用差込部１９に対する差込状態及び横棒１２の横棒用差込部１８に対する差込状態において、２つの横棒１２のそれぞれは、端面２５が、縦棒１４の外周面２７に対向するようになっている。
【００２５】
各横棒用差込部１８及び各縦棒用差込部１９の内周壁２１には、図２に（Ａ）示すように、各横棒用差込部１８及び各縦棒用差込部１９に差し込まれた各横棒１２及び各縦棒１４を保持する保持部としてのリブ４０が設けられている。リブ４０は、横棒用差込部１８及び縦棒用差込部１９の軸方向に沿って、横棒用差込部１８及び縦棒用差込部１９の内壁から径方向内側に突出しており、周方向に沿って複数配置されている。具体的には、リブ４０は、横棒用差込部１８及び縦棒用差込部１９の内部において、周方向に沿って等間隔で３箇所配置されている。リブ４０は、詳細には、横棒用差込部１８及び縦棒用差込部１９の奥側に向かって徐々に突出量が大きくなるように、側断面視にて傾斜している。
【００２６】
これにより、外力によって、各横棒用差込部１８及び各縦棒用差込部１９に対して各横棒１２の長さ方向一端部及び各縦棒１４の上端部が圧入されることで、図１（Ａ）に示すように、各横棒１２の長さ方向一端部及び各縦棒１４の上端部がリブ４０によって保持される。また、外力によって、各横棒用差込部１８及び各縦棒用差込部１９に差し込まれた各横棒１２の長さ方向一端部及び各縦棒１４の上端部が引き抜かれることで、図１（Ｂ）及び図３に示すように、各横棒１２の長さ方向一端部及び各縦棒１４の上端部は、各横棒用差込部１８及び各縦棒用差込部１９から取り外されるようになっている。
【００２７】
以上のように、各横棒１２の長さ方向一端部及び各縦棒１４の上端部が各横棒用差込部１８及び各縦棒用差込部１９に差し込まれることで、各横棒１２の長さ方向一端部及び各縦棒１４の上端部は、各連結部材１６に対して取り外し可能に連結されるようになっている。
【００２８】
なお、横棒用差込部１８及び縦棒用差込部１９の保持部としては、リブ４０に限られず、例えば、図２（Ｂ）に示すように、横棒用差込部１８及び縦棒用差込部１９の対向面２３に吸着体としての磁石４２を設けると共に、被吸着体としての鉄４４を横棒１２の長さ方向一端部及び縦棒１４の上端部に設ける構成としてもよい。この構成では、各横棒用差込部１８及び各縦棒用差込部１９に対して横棒１２の長さ方向一端部及び縦棒１４の上端部が差し込まれることで、磁石４２が鉄４４を吸着し、各横棒１２の長さ方向一端部及び各縦棒１４の上端部が保持される。その吸着力に対抗する外力によって、各横棒用差込部１８及び各縦棒用差込部１９に差し込まれた各横棒１２の長さ方向一端部及び各縦棒１４の上端部が引き抜かれることで、各横棒１２の長さ方向一端部及び各縦棒１４の上端部は、各横棒用差込部１８及び各縦棒用差込部１９から取り外されるようになっている。
【００２９】
以上のように、４本の横棒１２の長さ方向端部同士が連結されることで、４本の横棒１２は、平面視（図１における矢印−Ｙ方向視）にて四角形をなしている。本実施形態では、当該四角形の角部１７に、連結部材１６が設けられるように構成されている。なお、この場合における四角形は、４本の線で囲まれた四辺形状となっていればよい。この場合の線は、直線であっても、曲線であってもよい。また、四角形の角部１７は、丸みをおびていてもよい。
【００３０】
また、各縦棒１４が各連結部材１６に連結されることにより、各縦棒１４は、各連結部材１６から下方へ延び、各縦棒１４の下端部が載置面Ｇに載置するようになっている。なお、練習用ゲート１０は、屋外及び屋内において使用可能であり、練習用ゲート１０を屋外で使用する場合には、載置面Ｇは地面とされ、練習用ゲート１０を屋内で使用する場合には、載置面Ｇは床面とされる。
【００３１】
各連結部材１６に連結された各縦棒１４は、それぞれの間がゲートボール用のボール３２が通過可能な間隔とされている。具体的には、縦棒１４Ａと縦棒１４Ｂとの間隔、縦棒１４Ａと縦棒１４Ｂとの間隔、縦棒１４Ａと縦棒１４Ｂとの間隔及び縦棒１４Ａと縦棒１４Ｂとの間隔は、それぞれ、競技用のゲートの幅（２２ｃｍ）よりも狭い約２１ｃｍとされている。なお、ゲートボール用のボール３２の外径は、７．５ｃｍとされている。
【００３２】
さらに、練習用ゲート１０は、図１（Ｂ）に示すように、付け替え用の横棒１２として、４本の横棒１２よりも長さが短い２本の横棒２０を備えていてもよい。なお、２本の横棒２０は、長さが短い点以外は、４本の横棒１２と同様に構成されている。
【００３３】
（本実施形態に係る練習用ゲート１０の作用）
次に、本実施形態に係る練習用ゲート１０の作用を説明する。
【００３４】
本実施形態に係る練習用ゲート１０では、図１（Ａ）に示すように、当該練習用ゲート１０の利用者（ゲートボール競技者）Ｈが、４本の横棒１２における長さ方向の各一端部及び各他端部を連結部材１６の各横棒用差込部１８に差し込むと共に、４本の縦棒１４における長さ方向の各一端部を連結部材１６の各縦棒用差込部１９に差し込む。これにより、練習用ゲート１０が組み立てられる。
【００３５】
なお、４本の横棒１２及び４本の縦棒１４は、互いに入れ替えて用いることができるので、各横棒１２及び各縦棒１４を各横棒用差込部１８及び各縦棒用差込部１９に差し込む際に、連結部材１６の各横棒用差込部１８及び各縦棒用差込部１９に対して、各横棒１２及び各縦棒１４を任意に差し込むことができる。従って、４本の横棒１２及び４本の縦棒１４のうち計８本の棒のうち、どの棒が、横棒１２又は縦棒１４であるかを確認する必要が無く、練習用ゲートの組立作業が容易となる。
【００３６】
そして、４本の縦棒１４の下端部を載置面Ｇに接地させて、組み立てられた練習用ゲート１０を載置面Ｇに置くことで、縦棒１４の下端部を載置面Ｇに差し込むことなく、載置面Ｇ上に自立させることができる。
【００３７】
このように、組み立てられた練習用ゲート１０を載置面Ｇに置くことで、図４（Ａ）に示すように、４方向（Ｘ方向・−Ｘ方向・Ｚ方向・−Ｚ方向）にボール３２が通過可能なゲートが構成される。すなわち、縦棒１４Ａ、１４Ｂと横棒１２Ａとで一つのゲートが構成され、縦棒１４Ｂ、１４Ｃと横棒１２Ｂとで一つのゲートが構成され、縦棒１４Ｃ、１４Ｄと横棒１２Ｃとで一つのゲートが構成され、縦棒１４Ｄ、１４Ａと横棒１２Ｄとで一つのゲートが構成される（図１（Ａ）参照）。
【００３８】
これにより、例えば、４方向のうちの任意の方向でゲート通しの練習をすることができ、また、４人で同時にゲート通しの練習をすることも可能となる。
【００３９】
また、Ｘ方向・−Ｘ方向は、Ｚ方向・−Ｚ方向に対して交差する方向となり、交差する複数の方向にボール３２が通過可能となる。これにより、載置面Ｇの起伏や傾斜によってゲート通しの方向を替えるなどすることができる。
【００４０】
また、練習用ゲート１０が横棒１２よりも短い横棒２０を備える構成の場合では、互いに対向する横棒１２Ｂ、１２Ｄ（又は横棒１２Ａ、１２Ｃ）に替えて、横棒２０（図１（Ｂ）参照）を連結部材１６に差し込むことで、縦棒１４Ｂと縦棒１４Ｃとの間隔及び縦棒１４Ａと縦棒１４Ｄとの間隔を狭くすることができる。これにより、ゲート通しの技術を磨くことができる。
【００４１】
また、各連結部材１６の向きを変えて、横棒用差込部１８と縦棒用差込部１９との位置を入れ替えることで、縦棒１４の間隔を短くすることが可能である。具体的には、例えば、横棒１２Ｂが縦棒用差込部１９に差し込まれるように連結部材１６Ｃの向きを変えると共に、横棒１２Ｄが縦棒用差込部１９に差し込まれるように連結部材１６Ｄの向きを変えることで、縦棒１４Ｂと縦棒１４Ｃとの間隔及び縦棒１４Ａと縦棒１４Ｄとの間隔を狭くすることができる。連結部材１６Ｃ及び連結部材１６Ｄの向きの当該変更に加えて、横棒１２Ｂが縦棒用差込部１９に差し込まれるように連結部材１６Ｂの向きを変えると共に、横棒１２Ｄが縦棒用差込部１９に差し込まれるように連結部材１６Ａの向きを変えることで、縦棒１４Ｂと縦棒１４Ｃとの間隔及び縦棒１４Ａと縦棒１４Ｄとの間隔をさらに狭くすることができる。このように、連結部材１６Ｃ及び連結部材１６Ｄの向きを変更するか、この変更に加えて連結部材１６Ｂ及び連結部材１６Ａの向きを変更するかによって、段階的に縦棒１４の間隔を調整できる。
【００４２】
また、ゲート通しの練習の休憩中などにおいては、図４（Ｂ）に示すように、スティック３０を４本の横棒１２で囲まれた空間に差し込んで、いずれかの横棒１２又は連結部材１６に立てかけることができる。
【００４３】
ゲート通しの練習が終了すると、練習用ゲート１０の利用者（ゲートボール競技者）Ｈが、４本の横棒１２における長さ方向の各一端部及び各他端部を連結部材１６の各横棒用差込部１８から引き抜くと共に、４本の縦棒１４における長さ方向の各一端部を連結部材１６の各縦棒用差込部１９から引き抜く。これにより、図３に示すように、練習用ゲート１０が分解される。
【００４４】
これにより、分解された４本の横棒１２、４本の縦棒１４及び４つの連結部材１６をコンパクトにまとめて、収納袋２２に収納することができる。これにより、練習用ゲート１０の持ち運びが便利となる。
【００４５】
なお、本実施形態に係る練習用ゲート１０では、各横棒１２及び各縦棒１４が、連結部材１６に対して取り外し可能とされていたが、各横棒１２及び各縦棒１４のいずれか又は全部が、各連結部材１６に対して固定され、取り外し不能とされる構成とされていてもよい。
【００４６】
また、各横棒１２及び各縦棒１４の全部が固定される構成では、連結部材１６を介さず、各横棒１２及び各縦棒１４が、直接的に溶接等に固定される構成であってもよい。
【００４７】
本実施形態に係る練習用ゲート１０では、４本の横棒１２及び４本の縦棒１４が、同じ長さとされていたが、これに限られず、少なくとも、４本の縦棒１４と、互いに対向する横棒１２Ａ及び横棒１２Ｃと、互いに対向する横棒１２Ｂ及び横棒１２Ｄと、がそれぞれ同じ長さであればよい。
【００４８】
本実施形態に係る練習用ゲート１０では、平面視にて四角形状になるように構成されていたが、これに限られず、３本の横棒１２、３本の縦棒１４及び３つの連結部材１６によって平面視にて三角形状になるように構成されていてもよく、五角以上の角を有する多角形状になるように構成されていてもよい。
【００４９】
本発明は、上記の実施形態に限るものではなく、種々の変形、変更、改良が可能である。例えば、上記に示した変形例は、適宜、複数を組み合わせて構成しても良い。
【符号の説明】
【００５０】
１０   練習用ゲート
１２   横棒
１４   縦棒
１６   連結部材
１７   角部
２０   横棒
３２   ボール
Ｇ     載置面
【図１】
2012254115.tif 000003
【図２】
2012254115.tif 000004
【図３】
2012254115.tif 000005
【図４】
2012254115.tif 000006